(57)【要約】【課題】従来技術に係わる消しゴム付きシャープペンシルは消しゴムを使用する際、シャープペンシルをさかさまに持ち替えノックキャップを脱着し誤字を消すが、それらの手間を省き、シャープペンシル使用のまま、ペン先側から消しゴムの使用を可能とする。【解決手段】従来の技術によって生産され使用されているシャープペンシル本体軸にシャープ芯送りだし機構と本体軸下部に消しゴム送りだし機構の両機構を一体装備し、ペン先側から消しゴムが使用出来る。また送りだし機構、装置に装着された棒状中空消しゴムの内面にシャープペンシル本体が装着、固定し必要に応じて消しゴムがペン先側から使用出来るシャープペンシル等の筆記具であるのを特徴とする。加えて従来の消しゴム付きシャープペンシル製品に比べ消しゴムが長期にわたり使用を可能にするようノック消しゴムのような長い棒状消しゴムや棒状中空消しゴムを装着することによって可能にする。【選択図】図１７
2007144967.tif 000002
【特許請求の範囲】
【請求項１】
消しゴム付きシャープペンシルであって、ペン先側から消しゴムが使用出来ると共に且つ消しゴムが必要に応じて自在に出し入れを可能にする装置、機構を有し、シャープペンシルとさまざまな棒状の消しゴムとが一体化されたシャープペンシル等の筆記具。
【請求項２】
棒状中空の消しゴム付きシャープペンシルであってペン先側から消しゴムが使用出来ると共に且つ棒状中空の消しゴムが必要に応じて自在に出し入れを可能にする装置、機構を有し、棒状中空の消しゴムの内面にシャープペンシルが装置、固定されたシャープペンシル等の筆記具。
【発明の詳細な説明】
【技術分野】
【０００１】本発明は一般に筆記用具としてのシャープペンシルに関する。【０００２】従来、消しゴム付きシャープペンシルは様々なデザイン、形を凝らした製品が、生産、使用されている。しかしながらそれらは単に小さな消しゴムが付けられているだけなので消しゴムの消耗が早いのが難点である。【０００３】また、一般消しゴム付きシャープペンシルの消しゴムはデザイン、または原価抑制によってノックキャップの形状小さく生産されることもあり、安全キャップの使用を余儀なくされ、通気孔付きノックキャップはキャップ上部に穴があり、シャープ本体に収納されている芯タンクから補充芯が飛び出すのを防止するのに使用され消しゴムとしての役割は乏しいのが現状である。【０００４】一般消しゴム付きシャープペンシルにあって本体軸に内蔵された棒状消しゴムが昇降機構によって送りだされシャープペンシル本体をさかさまに持ち替え消しゴムを使用する製品もあるが、ペン先側から消しゴムを使用する工夫は成されていない。また、シャープペンシルの機構上の制約もあり本体軸の長さと同等の消しゴムの収納が難しいのが現状である。
【発明の開示】
【発明が解決しようとする課題】
【０００５】上述のように従来技術に係わる消しゴム付きシャープペンシルは、消しゴムを使用するに際しては、シャープペンシル本体をさかさまに持ち替え、ノックキャップを脱着し使用するが、速記者や、学生のテスト中にはそれらの手間が不便と感じている。また、脱着されたノックキャップが紛失することもあるのが現状である。【０００６】前述のように設計、デザイン、原価抑制上の制約から本来のシャープペンシルの消しゴムが芯タンクから芯の飛び出し防止のためではなく字消し道具として、一般的使用され生産されているノック式消しゴムと同等な使用に耐える消しゴムを装備することによって長期間使用出来、本来の消しゴム付きシャープペンシルとして極めて有効である。
【課題を解決する手段】
【０００７】上述の目的を達成する本発明のシャープペンシルは消しゴムをペン先側から使用出来、消しゴムは必要に応じて出し入れ自在の機構、装置に取り付けられ、且つ一般的に使用、利用されているノック式消しゴムと同等の使用期間に耐えられる棒状消しゴム、棒状中空消しゴムなどを備え、誤字にはさかさまに持ち替えることもなく素早く字消しの役目を果すシャーペンシルとしての特徴持つ。
【０００８】ペン先側に消しゴムを装置させるので筆記の際、消しゴムは本体軸に連結されている口金の横幅より小さな寸法の設計で筆記の邪魔にならないことを解消する。また棒状中空きの消しゴムを本発明シャープペンシルに装置するには口金及びシャープペン本体軸の外径と棒状消しゴムの内径はやや大きめにし出し入れをスムーズにし消しゴムを使用する際、口金の外径が中空き消しゴムの支えになるようにし、消しゴムの使用効果を向上させる。
【発明の効果】
【０００９】以上、説明したように本発明によればシャープペンシルを使用時にペン先側から消せることが出来るように送り出し機構、装置を有した消しゴムを必要に応じて出し入れを可能にし、シャープペンシル本体をさかさまに置き換え、ノックキャップを脱着して消しゴムを使用する手間が省け素早く誤字が消す事が出来る。
【発明を実施するための最良の形態】
【００１０】以下、本発明の実施の形態を図面に基ずき詳細に説明する。【００１１】図１はシャープペンシルに棒状の消しゴムが本体軸の範囲以内に本体軸下部に内蔵した全体の外観斜視図である。【００１２】図２の本体軸はシャープペンシルの芯送りだし機構を収納と棒状消しゴムを収納するため、本体軸には二つの穴が空けられている断面図である。【００１３】また図２の本体軸下部に棒状消しゴムの送りだしガイド兼消しゴムの出没調節ストッパーの１１のガイドである。【００１４】図１に示すように図１２の消しゴム受け兼送りだし、及び消しゴム出没調節が取り付けられた図１２の消しゴム送りだし部品を本体軸下部がイドに沿って必要に応じて消しゴムを使用する。【００１５】図３〜１１、図１３〜１５は一般に生産され使用されている消しゴムシャープペンシルの部品の断面図である。【００１６】図１に示すようにシャープペンシルの作動は一般に生産され使用されている製品と同じようにノックキャップに荷重を掛け芯を送りだす方法である。また図１６．１７のシャープペンシルの作動方法は図１と同様である。
【実施例】
【００１７】シャープペンシルのサイズは消しゴムを収納されるため一般に使用され生産されている製品に比べて図１の本体軸また図１６．１７シャープペンシルの本体外側軸図１９の太さは大きく作られる。【００１８】図１に示すように一般に作られ生産されているシャープペンシル本体軸に携帯性に便利なクリップを本体軸と一体で作ることや、クリップ単体を本体軸に取り付けることも想定される。【００１９】本発明の消しゴム付きシャープペンシルに収納される棒状消しゴムは断面が十文字の形状や丸、四角、三角などに限定されるものではなく、様々な形状の棒状消しゴムが取り付けられるのが可能であり、状況によって選択されるものである。【００２０】本発明の棒状中空き消しゴムを使用したシャープペンシルは外側本体軸内面で圧入されたネジ管でシャープ本体外面で固定され筆記の際にぐらつき防止をする。
【産業上の利用分野】
【００２１】  本発明は文房具業界筆記具を製造、販売する産業分野で利用することができる。
【図面の簡単な説明】
【００２２】
【図１】本発明のペン先側から消せる棒状消しゴムが送りだし機構、装置に取り付けられた外観斜視図である。
【図２】シャープペンシルの本体軸の横断面図である。
【図３】本体軸に収納される芯タンクの横断面図である。
【図４】シャープペンシル本体の口金横断面図である。
【図５】シャープペンシル本体口金に内蔵されるスライダーの横断面図である。１３のノックキャップに荷重を掛けるとチャックが押し出され、スライダーが口金から出没する。
【図６】シャープペンシル本体口金及びスライダーに内蔵する芯ブレーカーの横断面図である。
【図７】シャープペンシル本体にスプリング圧で保持する芯をノックキャップの荷重によってスプリングの圧力を口金内壁に当て解除するクラッチの横断面図である。
【図８】シャープペンシル本体のチャックの横断面図である。
【図９】チャックと芯タンクのジョイントの横断面図である。
【図１０】シャープペンシル本体のノックキャップの横断面図である。
【図１１】シャープペンシル本体ノックキャップに内蔵するブッシュの横断面図である。
【図１２】シャープペンシル本体軸下部に収納される消しゴム送りだし部品の左から縦断面図、横断面図、上から観た図である。
【図１３】棒状消しゴム横断面図である。
【図１４】シャープペンシル本体上部に取り付けられる消しゴムの横断面図である。
【図１５】一般に使用され生産されているシャープ芯の図である。
【図１６】棒状中空き消しゴムを使用した本発明のシャープペンシル横断面斜視図である。
【図１７】図１６の正面横断面図である。
【図１８】棒状中空き消しゴムを使用した消しゴム送りだし機能部材の横断面図である。
【図１９】棒状中空き消しゴムを使用した外側本体軸の横断面図である。
【図２０】外側本体軸内面とシャープペン本体軸を固定するネジ管の横断面図である。
【図２１】シヤープ本体軸の横断面図である。
【図２２】棒状中空き消しゴムの横断面図である。
【符号の説明】
【００２３】  １．本体軸              ２．芯タンク                  ３．口金
４．スライダー          ５．ブレーカー                ６．クラッチ
７．スプリング          ８．チャック                  ９．ジョイント
１０．シャープ芯        １１．消しゴム送りだしガイド  １２．消しゴム
１３．ノックキャップ    １４．ブッシュ                １５．消しゴムホルダー
１６．棒状消しゴム      １７．消しゴム送りだし部品    １８．送りだしレバー部
１９．口金（棒状中空き消しゴム用）
２０．ジョイント（シャープ構造部とシャープ本体軸と口金）
２１．外側本体軸        ２２棒状中空き消しゴム        ２３．芯タンク
２４．スライダー（送りだし機能部材）                  ２５．ネジ管
２６．クリップ          ２７ノックキャップ胴部        ２８．ノックキャップ
２９．送りだしピッチストッパー                        ３０．スライダー指掛け部
【図１】
2007144967.tif 000003
【図２】
2007144967.tif 000004
【図３】
2007144967.tif 000005
【図４】
2007144967.tif 000006
【図５】
2007144967.tif 000007
【図６】
2007144967.tif 000008
【図７】
2007144967.tif 000009
【図８】
2007144967.tif 000010
【図９】
2007144967.tif 000011
【図１０】
2007144967.tif 000012
【図１１】
2007144967.tif 000013
【図１２】
2007144967.tif 000014
【図１３】
2007144967.tif 000015
【図１４】
2007144967.tif 000016
【図１５】
2007144967.tif 000017
【図１６】
2007144967.tif 000018
【図１７】
2007144967.tif 000019
【図１８】
2007144967.tif 000020
【図１９】
2007144967.tif 000021
【図２０】
2007144967.tif 000022
【図２１】
2007144967.tif 000023
【図２２】
2007144967.tif 000024